(57)【特許請求の範囲】
【請求項１】
間隙を隔てて建物躯体を設け、両建物躯体には上記間隙を挟んで凹部を形成し、この凹部に上記間隙を覆う床用カバーを架設した床用エキスパンションジョイントにおいて、
上記カバーを肉厚とし、その上記間隙の幅方向の端部側面を、上部が広く下部が狭くなるように傾斜させ、
上記凹部には、上記間隙に向かって上段と中段と下段の三段階に下る階段状の支持部を形成し、この支持部により上記床用カバーの底部と傾斜側面とを支持可能とし、上記支持部の内側と上記カバーの側面との間にクッション材を装着し、
上記凹部の開口縁部又は上記カバーの上端縁部に長尺の金属製仕上げ緑材を取り付けたことを特徴とする床用エキスパンションジョイント。
【請求項２】
上記凹部と上記床用カバーとの間には、床用カバーの断面とほぼ同じで少し大きい外形を有する縁材付きホルダを介装した、請求項１に記載の床用エキスパンションジョイント。
【発明の詳細な説明】
【０００１】
【発明の属する技術分野】
本発明は間隙をおいて設けられた２つの建物躯体の床部に間隙の変動を吸収しえる肉厚の床用カバー装置に関する床用エキスパンションジョイントに関する。
【０００２】
【従来技術】
目地部を介して建てられた２つの建物躯体の床部に、目地部とは反対端を傾斜ガイドとした凹部を形成し、この凹部に両側縁へ断面が三角のゴムを蝶着した目地プレートを乗せ、この目地プレートを中央維持装置によって目地部と中心が一致するように保持させる床用エキスパンションジョイントは、特開２０００−３２８６７４号公報により知られている。
【０００３】
上記床用エキスパンションジョイントは、目地部が狭まるように変動して目地プレートを床上へ突出させたとき、下り斜面で傾斜ガイドを登ったゴムが転倒して上り斜面に変わるため、突出した目地プレートへ引っ掛かることがなくて安全なものである。
【０００４】
しかしながら、目地プレートの両側縁には断面が三角のゴムを蝶番により回動自在に取り付け、目地部には間隙の中心に目地プレートを維持させる中央維持装置を多数取り付けるものである。このため、構造が複雑で取り付けも容易でないため、設備費が高くついて、その上、作動は不確実で故障し易く、耐久性にも乏しいと言う問題点がある。
【０００５】
【発明が解決しようとする課題】
本発明は上記問題点を解消し、簡単な構造で確実に作動するため温度変化、震動、不同沈下等による間隙の変動がよく吸収されて、故障することもなく耐久的な肉厚の床用カバーの機能を果たす床用エキスパンションジョイントを提供することをその課題とする。
【０００６】
【課題を解決するための手段】
上記課題を解消するため、本発明に係る床用エキスパンションジョイントは、間隙を隔てて建物躯体を設け、両建物躯体には上記間隙を挟んで凹部を形成し、この凹部に上記間隙を覆う床用カバーを架設した床用エキスパンションジョイントにおいて、上記カバーを肉厚とし、その上記間隙の幅方向の端部側面を、上部が広く下部が狭くなるように傾斜させ、上記凹部には、上記間隙に向かって上段と中段と下段の三段階に下る階段状の支持部を形成し、この支持部により上記床用カバーの底部と傾斜側面とを支持可能とし、上記支持部の内側と上記カバーの側面との間にクッション材を装着し、上記凹部の開口縁部又は上記カバーの上端縁部に長尺の金属製仕上げ緑材を取り付けたことを特徴とする。
【０００７】
さらに、上記凹部と上記床用カバーとの間には、床用カバーの断面とほぼ同じで少し大きい外形を有する縁材付きホルダを介装するのがよい。
【０００８】
【発明の実施の形態】
図１において符号１は、本発明に係る床用エキスパンションジョイントの第１の実施形態を示す。この床用エキスパンションジョイント１は、間隙２を隔てて設けられた一方の建物躯体３と他方の建物躯体４との間隙２側にそれぞれ形成した凹部５及び凹部６と、両凹部５及び６に跨って架設して上記間隙２を覆わせた床用カバー７とにより構成される。
【０００９】
上記床用エキスパンションジョイント１の床用カバー７は、肉厚であって、両側面７ａが上部は広くて下部が狭くなる傾斜を有するように形成する必要がある。このため、上記条件が満たされるように耐蝕性金属板等により外被体８を形成して、この外被体８の中にモルタル、波板、格子材等の補強材９を充填し、補強材９の上に建物躯体３及び建物躯体４に施した石材、タイル、床シート板等の表面化粧材１０と同一材もしくは調和する表面化粧材１１を取り付けて、この表面化粧材１１の周囲と上記外被体８の周縁との隙間にはコーキング１２を充填する。
【００１０】
なお、側面７ａの上端には外向き突部の張出縁７ｃが外被体８に折設形成している。
【００１１】
上記建物躯体３の凹部５及び建物躯体４の凹部６の間隙２とは反対端の側面には、上記床用カバー７を支持して、上記間隙２の変動が起こると床用カバー７に昇降等の作動を起させるため、間隙２へ向かって順次に下がる階段状とした支持部１３を形成する。
【００１２】
上記支持部１３は、アルミ材・真鍮材やステンレス材等の耐蝕性金属部材１４、１５、１６等を組み合わせ、又は後述で説明するように上記組み合わせを一体形成に置換えてもよい、すなわち、床用カバー７の側面７ａの中間部に対応する上段１３ａと、常態において床用カバー７の底面７ｂを受ける中段１３ｂと、この中段１３ｂよりも一段下がった下段１３ｃの３段の階段状を形成する。そして、上段１３ａ上には床用カバー７の側面７ａと支持部１３の上部に最上段を構成した直立片１３ｄとの間に挟まれるクッション１７を直立片１３ｄに取り付け、中段１３ｂには床用カバー７の底面７ｂを弾力的に受けるクッション１８を装着し、上段１３ａと中段１３ｂとの間には床用カバー７の側縁７ａの傾斜に対応する傾斜部１３ｅ設け、下段１３ｃの間隙２に臨む端部には角１３ｆを形成する。
【００１３】
なお、建物躯体３と建物躯体４との間隙２には、例えばアルミ押出し型材で形成した中段１３ｂは、建物躯体３、４の芯壁に固定される差筋とこの差筋に取付したアンカーにて中空状の中段部材１５が強固に支持固定され、この上面に重合しながら載置した上段１３ａを構成する上段部材１４を配置し、この中段１３ｂの他方側の突縁に集水部材１９と防火部材２０を取付けする下段３ｃを構成する下段部材１６を一体的に組合わせ配設し、両端を建物躯体３と建物躯体４とに止着して、間隙２の変動に対応する弛みを持たせた集水部材１９と防火部材２０とを配設する。
【００１４】
上記第１の実施形態に示す床用エキスパンションジョイント１は、図１に示すように常態を保持しているとき、温度変化、震動、不同沈下等によって建物躯体３と建物躯体４との間隙２を狭める変動が起こると、床用カバー７の両方の側縁７ａの傾斜に建物躯体３側の支持部１３と建物躯体４側の支持部１３の傾斜部１３ｅが押し付けられる。このため、床用カバー７は斜面の作用により押し上げられて、表面を図２に示すように建物躯体３及び建物躯体４の表面より上側に突出させ、更に変動が続くと床用カバー７は更に上昇して、図３に示すよう建物躯体３及び建物躯体４の表面上へ乗り上げる。このように床用カバー７が作動して間隙２が縮小する変動を吸収する間、床用カバー７は建物躯体３及び建物躯体４の間隙２を覆って間隙２の閉塞を確実に行なう。
【００１５】
又、建物躯体３と建物躯体４との間隙２が図１に示す通り常態を保持しているとき、上記原因により間隙２を広げる変動が起こって、例えば建物躯体４側に作用すると、建物躯体４は図４に示すように移動するが、床用カバー７は建物躯体３に支持されて動かない。このため、床用カバー７は建物躯体４に対して図４のように位置ずれして支持部１３の中段１３ｂに支持されている。しかし、更に変動が続くと床用カバー７は、図５に示すように中段１３ｂから外れて下段１３ｃに落ち、側面７ａと底面７ｂとの堺角を下段１３ｃに支持されて、なお、変動が続けば、床用カバー７の上記堺角は下段１３ｃより外れるが、このときは、図６に示すように床用カバー７の側面７ａが下段１３ｃの角１３ｆに支持される。このように床用カバー７が作動して間隙２の拡大変動を吸収する間、床用カバー７は建物躯体３と建物躯体４との間隙を覆って、間隙２の閉塞を確実に行なう。
【００１６】
さらに拡大変位しても、床用カバー７の側面７ａ上端に形成されている外向き突部の張出縁７ｃにより、図６の角１３ｆに引掛かり状態を維持し保ちながら床用カバー７は間隙内に落ち込むこともない。
【００１７】
なお、この床用エキスパンションジョイント１は、建物躯体３と建物躯体４との間隙２が拡大する変動が起こし、これに応じて床用カバー７が作動して、間隙２を閉塞した状態において変動の吸収を行なうもので、この作動状態は図４〜図６に示す場合と対称的にであるので、この状態の図解並びに説明は省略する。
【００１８】
図７は、本発明に係る床用エキスパンションジョイントの第２の実施形態を示す。この実施形態において符号１で示す床用エキスパンションジョイント１は、間隙２を隔てて設けられた一方の建物躯体３と他方の建物躯体４との間隙２側にそれぞれ形成した凹部５及び凹部６と、両凹部５及び６に跨って架設して上記間隙２を覆わせた床用カバー７とにより構成される点と床用カバー７の構造とは実施形態１と同じである。しかし、建物躯体３の凹部４及び建物躯体４の凹部６に形成する床用カバー７の支持部１３の構造が実施形態１とは相違する。
【００１９】
この床用エキスパンションジョイント１の間隙２へ向かって順次に下がる階段状をなす支持部１３は、アルミ材・真鍮材やステンレス材等の耐蝕性金属部材２１、２２、２３を組み合わせ形成、又は後述で説明するように上記組み合わせに換えた加工方法で一体形成の金属部材にしても良い、すなわち、床用カバー７の傾斜する側面７ａの中間部に対応する上段１３ａと、常態において床用カバー７の底面７ｂを受ける中段１３ｂと、この中段１３ｂよりも一段下がった下段１３ｃの３段を階段状に形成する。その上段１３ａには垂直片１３ｄが取付けられ、この最上側に床用カバー７の側面７ａと支持部１３の上部の最上段を形成した垂直片１３ｄとに挟まれるクッション１７を取り付け、床用カバー７側の端部には床用カバー７の傾斜する側面７ａに当接する角１３ｆを設け、下段１３ｃの間隙２に望む端部にも床用カバー７の側面７ａに当接する角１３ｆを設けてある。又、この支持部１３の中段１３ｂはアルミ押出型材等の金属部材２２と建物躯体３の凹部５及び建物躯体４の凹部６との間に高さ調整具１８を挟み込みして躯体面のレベル出しをし、この金属部材２２の側部によって漏水等防止作用を行なわせ、緩やかな水流れ用の傾斜面を形成している。
【００２０】
なお、上記支持部１３の中段１３ｂは必ずしもその全巾で床用カバー７の底面７ｂを受けさせる必要はなく、底面７ｂの一部分だけを受けさせるようにし、Ｕ字形の第一樋を備えて上段１３ａと中段１３ｂとで一体形成してもよい。即ち、建物躯体３の凹部５側に形成した支持部１３の金属部材２２における水平片２２ａの先端に設けた立上片２２ｂの中段１３ｂ上に耐蝕性等の金属部材のＬ型材２４等を逆さに取り付けて、この型材２４の上面によって床用カバー７の底面７ｂの一部分を受けさせる。この場合は、中段１３ｂには上方へ開放する部分が存在することになるため、この開放部から雨水等を型材２２の垂直基片２２ｃと立上片２２ｂとの間へ落として型材２２を第一の排水樋にかつ、中段１３ｂの型材２２、２２間の下に間隙２に第二の排水樋１９を利用することができる。
【００２１】
上記第２の実施形態に示す床用エキスパンションジョイント１は、建物躯体３と建物躯体４との間隙２が狭まるように変動するとき、床用カバー７の傾斜する側面７ａ上端に形成した外向き突部の角部７ｃに支持部１３における上段１３ａの角１３ｆが作用して、支持部１３の傾斜部１３ｅが作用する実施形態１とは相違する、しかし、間隙２が狭まる変動の吸収も、広がる変動の吸収も実施形態１と同様に行なわれるので、変動吸収の態様についての図解並びに説明は省略する。
【００２２】
図８は、本発明に係る床用エキスパンションジョイントの第３の実施形態を示す。この実施形態において符号１で示す床用エキスパンションジョイントは、実施形態1及び実施形態２においては、床用カバー７の両方の側面７ａが上部より下部が狭まる傾斜を有する構造であったのに対し、傾斜を有するのは一方の側面７ａだけであって、他方の側面７ａは直角等をなすように形成する。そして、間隙２の変動を吸収する動作を床用カバー７の傾斜する側面７ａだけで行なわせるようにしてある。
【００２３】
この床用エキスパンションジョイント１における床用カバー７の直角等をなす側面７ａは、その外側に逆Ｌ字形の係止体２５を取り付け、この係止体２５と床用カバー７の側面７ａとにより建物躯体３の凹部５に取り付けた支持材２９の止具２６を緩みを有するように挟ませて、床用カバー７の傾斜する側面７ａ側が間隙２の変動に応じて昇降等の動作をするとき、この変位動作は妨げられない床用カバー７の拘束が行なわれるように支承する。
【００２４】
建物躯体４の凹部６に形成して床用カバー７を支持させる支持部１３は、アルミ材・真鍮材やステンレス材等の耐蝕性金属部材を曲げ、さらに加工して上中下段に一体形成する金属部材２７で、床用カバー7の側縁７ａの上端から外へ張り出させた角部７ｃを受ける上段１３ａと、常態に置いて床用カバー７の底面を受ける中段１３ｂと、中段１３ｂよりも１段下がった下段１３ｃとから一体構成し、上段１３ａと中段１３ｂとの間及び中段１３ｂと下段１３ｃとの間にそれぞれ床用カバー７の傾斜する側面７ａに対応するように設けた上下の傾斜部１３ｅと、下段１３ｃの間隙２に臨む端部にビスで集水部材１９付き防火部材２０を取付けた角１３ｆとを備えている。
【００２５】
建物躯体３の凹部５に形成して床用カバー７の垂直等とした側縁７ａを受けさせる支持部２８は、アルミ材・真鍮材やステンレス材等の耐蝕性金属部材を曲げ、接続構成等に加工してＬ型に形成した支持部材２９と、垂直片２８ａの上端で床用カバー７から張り出させた角部７ｃを受けさせ、水平片２８ｂにより床用カバー７の底面７ｂを受けさせる。
【００２６】
上記第３の実施形態に示す床用エキスパンションジョイント１は、図８に示すように常態を保持しているとき、温度変化、震動、不同沈下等により建物躯体３と建物躯体４との間隙２を狭める変動が起こると、床用カバー７の両方の側面７ａに支持部１３と支持部２７とが押し付けられる。この際、建物躯体３側では床用カバー７の側面７ａと支持部２８とが垂直に当って動きを生じない。これに対して建物躯体４側は、床用カバー７の傾斜する側面７ａに支持部１３の傾斜部１３ｅが当るため、斜面の作用により床用カバー７の押し上げが行なわれて、床用カバー７の傾斜する側面７ａ側を図９に示すように建物躯体４の表面上ヘ突出させ、更に変動が続くと床用カバー７は更に上昇して、図１０に示すように傾斜する側面７ａ側が建物躯体の表面上へ乗り上げる。このように床用カバー７が作動して間隙２の縮小する変動を吸収する間、床用カバー７は建物躯体３と建物躯体４の間隙２を覆って間隙２の閉塞を確実に行なう。
【００２７】
又、建物躯体３と建物躯体４との間隙２が図８に示す通り常態を保持しているときから間隙２を広げる変動が起こって、例えば建物躯体４側に作用するときには、建物躯体４は図１１に示すように移動するが、床用カバー７は建物躯体３側の直角等の側面７ａに取付けた係止体２５により拘束されて動かない。このため、床用カバー７は建物躯体４に対して図１１のように位置ずれして支持部１３の中段１３ｂに支持されながら移動している。しかし、更に広がる変動が続けば床用カバー７は、図１２に示すように中段１３ｂから外れて下段１３ｃに落ち、傾斜する側面７ａと底面７ｂとの堺角を下段１３ｃに支持されて、なお、変動が続くと床用カバー７の上記堺角は下段１３ｃから外れ、これに伴ない、床用カバー７の傾斜する側面７ａが下段１３ｃから端部の角１３ｆに移って角１３ｆにより支持されるものであって、このように間隙２の拡大する変動が吸収されている間、床用カバー７は建物躯体３と建物躯体４との間隙２を覆って間隙２の閉塞を確実に行なう。
【００２８】
そして、床用カバー７の傾斜する側面７ａとこの側面７ａ上端の外向き突部の角部７ｃが角１３ｆに引っ掛り状態を維持しながら支持されて床用カバー７は間隙内に落下を防いでいる。
【００２９】
なお、床用エキスパンションジョイント１は、床用カバー７の作動を一方に限定してあるため、間隙２を変動する力が建物躯体３側に作用しても、床用カバー７は傾斜する側面７ａ側が昇降等の作動を行って、間隙２を閉塞した状態において間隙２の変動吸収を行なう動作を確実に行なう。
【００３０】
図１４は、建物躯体４の凹部６（建物躯体３の凹部５も同じであるからこちら側は図面を省略）の側面との縁材による化粧状態を示す。床用カバー７の側面７ａには化粧に適したステンレス、真鍮等の縁材３０を溶接、接着等により取り付け、建物躯体４の凹部６の側面、即ち、支持部１３の上段１３ａ上部の垂直片１３ｄには、さらに化粧に適したステンレス、真鍮等の縁材３１を溶接、接着等により取り付けて最上段を形成し、縁材３０と縁材３１の間にクッション１７を挟ませることにより、雨仕舞い、緩衝機能と体裁がよい目地を形成させる。
【００３１】
図１５は、建物躯体３の凹部５及び建物躯体４の凹部６に取付けた支持部１３、１３上にホルダー３２を長手方向に間隔を隔てて支持部１３、１３の間に架設配置し、さらにこのホルダー３２上に床用カバー７を納めて支持させた状態を示す。上記ホルダー３２は、床用カバー７が納まる大きさに真鍮材やステンレス材、アルミ材等の耐蝕性金属部材をその上端の縁材３０付き金属により形成して、その中に床用カバー７を収容し、ホルダー３２を建物躯体３の凹部５及び建物躯体４の凹部６へ納めることにより、床用カバー７の側面７ａと凹部５及び凹部６に取り付けた支持部１３の傾斜部１３ｅとの隙間を作りながら排水効果を促進させるもので、両者の間にホルダー３２の側面３２ａを介在させて適度な隙間に調整することができる。しかも、ホルダー３２が長尺な場合はその底面３２ｂの中央部や底面など多数個のスリットや排水孔３３を設け、特に屋外用の床で使用するとき長尺ホルダー３２に雨水等が入ってもこの雨水を排水孔３３により集水部材１９へ多量の水等を流水排出させ溜まらないようにすることができる。
【００３２】
【発明の効果】
請求項１の効果
（１）温度変化、震動、不同沈下等により建物躯体の間隙が狭まったり、広がったりする変動が起こると、この変動に応じて床用カバーが段階的な動作をし、建物躯体の間隙を閉塞した状態において、間隙の変動を段階的に吸収する動作を確実に行なう。
（２）カバー維持装置など特別な装置を用いない簡単な構造であるため、安価に設置することができて、狭まりから広がりに亘る広範囲な間隙の変動吸収を安定して故障なく行なわせることができて、耐久性にも優れる。
（３）建物躯体の間隙の変動を支持部により床用カバーの傾斜側縁に伝達して、変動の吸収を効率よく行なわせると共に、広い変動範囲にも十分に対処することができる。
（４）支持部の傾斜は床用カバーの傾斜する側面に作用して、床用カバーの上昇や下降動作をさらに円滑確実に行なわせる。
（５）支持部と床用カバーの側縁との間にクッション材による緩衝層ができて、支持部と床用カバーと当るための騒音等の発生を防止する。
（６）建物躯体と床用カバーとの間にできる隙間を金属製の仕上げ縁材により適材適所の製作と、化粧して目地部の美観を高めることができる。
【００３３】
請求項２の発明によれば、縁材付きホルダーに床用カバーを納めることで、床用カバーの側面と建物躯体の凹部の側面との隙間にて排水を促進して水等を集水部材へ排出できる。
【図面の簡単な説明】
【図１】  本発明に係る床用エキスパンションジョイントの第１の実施形態を示す縦断側面図
【図２】  同上床用エキスパンションジョイントが建物躯体の間隙が狭まる小さい変動を吸収した状態の説明図
【図３】  建物躯体の間隙が狭まる大きい変動を吸収した状態の説明図
【図４】  建物躯体の間隙が広がる小さい変動を吸収する状態の説明図
【図５】  建物躯体の間隙が広がる大きい変動を吸収する状態の説明図
【図６】  建物躯体の間隙が広がる更に大きい変動を吸収する状態の説明図
【図７】  本発明に係る床用エキスパンションジョイントの第２の実施形態を示す縦断側面図
【図８】  本発明に係る床用エキスパンションジョイントの第３の実施形態を示す縦断側面図
【図９】  同上実施形態が建物躯体の間隙が狭まる小さい変動を吸収した状態の説明図
【図１０】  建物躯体の間隙が狭まる大きい変動を吸収した状態の説明図
【図１１】  建物躯体の間隙が広がる小さい変動を吸収した状態の説明図
【図１２】  建物躯体の間隙が広がる大きい変動を吸収した状態の説明図
【図１３】  建物躯体の間隙が広がる更に大きい変動を吸収した状態の説明図
【図１４】  床用カバーの周縁と支持部の周縁へ化粧縁を取り付けた状態の部分断面図
【図１５】  床用カバーをホルダーにて支持部に支持せた状態の断面図
【符号の説明】
１  床用エキスパンションジョイント
２  間隙
３  建物躯体
４  建物躯体
５  凹部
６  凹部
７  床用カバー
７ａ  側面
１３  支持部
【図１】
0003755747.tif 000002
【図２】
0003755747.tif 000003
【図３】
0003755747.tif 000004
【図４】
0003755747.tif 000005
【図５】
0003755747.tif 000006
【図６】
0003755747.tif 000007
【図７】
0003755747.tif 000008
【図８】
0003755747.tif 000009
【図９】
0003755747.tif 000010
【図１０】
0003755747.tif 000011
【図１１】
0003755747.tif 000012
【図１２】
0003755747.tif 000013
【図１３】
0003755747.tif 000014
【図１４】
0003755747.tif 000015
【図１５】
0003755747.tif 000016